(57)【要約】      （修正有）【課題】コンバイン作業時や機体格納時に機体後部幅を認知する指標になり、操縦を行い易くすることができると共に、梯子の作業姿勢の切換えによって、必要とするメンテナンス箇所に応じたメンテナンス作業を能率よく行うことができる汎用コンバインの梯子設置構造を提供する。【解決手段】脱穀部７の前側機壁とフィーダハウス２０との間に形成される空間部Ｓに梯子２５を立設した汎用コンバインの梯子設置構造１であって、前記空間部Ｓ内で梯子２５を、前側の縦フレーム２５ａをフィーダハウス２０に近接させた状態で、後側の縦フレーム２５ａを前側機壁の外側寄りに近接させることにより、空間部Ｓの前後方向に対して傾斜状に配置すると共に、平面視において後側の縦フレーム２５ａを、脱穀部７の後部に設置されて機体外方に突出する排藁処理装置６の機体後部突出端Ｒと略同一線上に配置させる構成にした。【選択図】図１
2013243941.tif 000002
【特許請求の範囲】
【請求項１】
走行装置（２ａ）を備える機体フレーム（２）に、植立する作物を刈取り搬送部（１０）のフィーダハウス（２０）を介し後方搬送する刈取部（９）と、該フィーダハウス（２０）から供給される作物を脱穀するスレッシャー型の脱穀部（７）を搭載し、該脱穀部（７）の前側機壁（７ｆ）とフィーダハウス（２０）との間に形成される空間部（Ｓ）に梯子（２５）を立設し、該梯子（２５）を利用してフィーダハウス（２０）及び脱穀部（７）に上るようにした汎用コンバインの梯子設置構造（１）において、
前記空間部Ｓ内で梯子（２５）を、該梯子（２５）の前側の縦フレーム（２５ａ）をフィーダハウス（２０）に近接させた状態で、後側の縦フレーム（２５ａ）を前側機壁（７ｆ）の外側寄りに近接させることにより、空間部（Ｓ）の前後方向に対して傾斜状に配置すると共に、平面視において後側の縦フレーム（２５ａ）を、脱穀部（７）の後部に設置されて機体外方に突出する排藁処理装置（６）の機体後部突出端（Ｒ）と略同一線上に配置させることを特徴とする汎用コンバインの梯子設置構造。
【請求項２】
梯子（２５）を、後側の縦フレーム（２５ａ）を前側機壁（７ｆ）の外側寄りに回動取付手段（２６）によって縦軸中心に回動自在に取付けると共に、前側の縦フレーム（２５ａ）を機体側に切換固定手段（２７）によって固定解除自在に取付けることにより、梯子（２５）を空間部（Ｓ）に臨ませる前側梯子作業姿勢から回動取付手段（２６）の固定を解除し、回動取付手段（２６）を支点に反転回動し、前側の縦フレーム（２５ａ）を脱穀部（７）の外側に沿う後側梯子作業姿勢に切換え固定自在に構成した請求項１記載の汎用コンバインの梯子設置構造。
【発明の詳細な説明】
【技術分野】
【０００１】
本発明は、汎用コンバインの梯子構造に関する。
【背景技術】
【０００２】
従来、刈取られた穀稈を搬送部のフィーダハウスを介し後方搬送する刈取部と、該フィーダハウスから供給される穀稈を脱穀するスレッシャー型の脱穀部を備え、該脱穀部の前側機壁とフィーダハウスとの間に形成されるコーナ状の空間部に梯子を立設し、該梯子を利用しフィーダハウスや脱穀部に上り、必要箇所の点検や修理並びに清掃等のメンテナンス作業を行なうようにした汎用コンバインは既に公知である（例えば、特許文献１参照）。
上記コンバインの梯子設置構造は、空間部に設置する梯子を、その前側の縦フレームをフィーダハウスに近接させた状態で、後側の縦フレームを前側機壁の外側寄りに配置することにより、空間部の前後方向に対して平面視で傾斜状に設置している。
【先行技術文献】
【特許文献】
【０００３】
【特許文献１】特開２００６−２５６９６号公報
【発明の概要】
【発明が解決しようとする課題】
【０００４】
上記特許文献１で示される梯子設置構造は、梯子の前側の縦フレームをフィーダハウスに近接させた状態で、後側の縦フレームを前側機壁の外側寄りに配設することにより、空間部の前後方向に対して傾斜状に設置しているが、後側の縦フレームを脱穀部の機体外方側に大きく突出させて取付けているため、縦フレームが走行中に他物に衝突し易く梯子及び他物を損傷させることがある。また機体外方側の中途に大きく突出する梯子に植立穀稈の穂先部が接触して引きちぎられる等の欠点もある。特に、後進走行により納屋等の狭小な場所で機体を格納する際に、作業者は右側に配置される操縦部から、左側後部の機体外方側のコンバイン本体の機体幅を目視しながら操縦をするが、この場合に機体外方側の中途に突出する梯子の縦フレームを看過し易いため、コンバインの格納作業をやり直さねばならないため機体後進格納作業を煩雑にする等の課題もある。
【課題を解決するための手段】
【０００５】
上記課題を解決するために本発明は、第１に、走行装置２ａを備える機体フレーム２に、植立する作物を刈取り搬送部１０のフィーダハウス２０を介し後方搬送する刈取部９と、該フィーダハウス２０から供給される作物を脱穀するスレッシャー型の脱穀部７を搭載し、該脱穀部７の前側機壁７ｆとフィーダハウス２０との間に形成される空間部Ｓに梯子２５を立設し、該梯子２５を利用してフィーダハウス２０及び脱穀部７に上るようにした汎用コンバインの梯子設置構造１において、
前記空間部Ｓ内で梯子２５を、該梯子２５の前側の縦フレーム２５ａをフィーダハウス２０に近接させた状態で、後側の縦フレーム２５ａを前側機壁７ｆの外側寄りに近接させることにより、空間部Ｓの前後方向に対して傾斜状に配置すると共に、平面視において後側の縦フレーム２５ａを、脱穀部７の後部に設置されて機体外方に突出する排藁処理装置６の機体後部突出端Ｒと略同一線上に配置させることを特徴としている。
第２に、梯子２５を、後側の縦フレーム２５ａを前側機壁７ｆの外側寄りに回動取付手段２６によって縦軸中心に回動自在に取付けると共に、前側の縦フレーム２５ａを機体側に切換固定手段２７によって固定解除自在に取付けることにより、梯子２５を空間部Ｓに臨ませる前側梯子作業姿勢から回動取付手段２６の固定を解除し、回動取付手段２６を支点に反転回動し、前側の縦フレーム２５ａを脱穀部７の外側に沿う後側梯子作業姿勢に切換え固定自在に構成したことを特徴としている。
【発明の効果】
【０００６】
請求項１の発明による汎用コンバインの梯子設置構造によれば、脱穀部の前側機壁とフィーダハウスとの間に形成される空間部内で、梯子を前側の縦フレームをフィーダハウスに近接させた状態で、後側の縦フレームを前側機壁の外側寄りに近接させることにより、空間部の前後方向に対して傾斜状に配置すると共に、平面視において後側の縦フレームを、脱穀部の後部に設置されて機体外方に突出する排藁処理装置の最大外側突出部と略同一線上に配置させるように構成にしたことにより、稈長の長い植立穀稈を刈取る際に、前後方向に対して傾斜状に配置され且つ後側の縦フレームを機体外方側に大きく突出させない梯子に穂先側が接触したとしても、縦フレームとの強い接当を回避して穂先の引っ掛りを防止することができる。また梯子の後側縦フレームは、脱穀部の後部に設置されて機体外方に突出する排藁処理装置の最大外側突出部が略同一線上に配置されているため、前後進時に機体後部幅を認知する指標になり、コンバイン作業時や機体格納時に操縦を行い易くすることができる。
請求項２の発明によれば、梯子を、後側の縦フレームを前側機壁の外側寄りに回動取付手段によって縦軸中心に回動自在に取付けると共に、前側の縦フレームを機体側に切換固定手段によって固定解除自在に取付けることにより、梯子を空間部に臨ませる前側梯子作業姿勢から回動取付手段の固定を解除し、回動取付手段を支点に反転回動し、前側の縦フレームを脱穀部の外側に沿う後側梯子作業姿勢に切換え固定自在に構成したことにより、空間部内で前後方向に対し傾斜状に配置される梯子は、機体前部から行う脱穀部のメンテナンス作業を容易に行うことができると共に、フィーダハウスの上部に簡単に乗り移ることができるので、フィーダハウスに安定よく身を置いた状態で、内部の搬送コンベア等の点検や修理並びに清掃等を十分に行うことができる。また脱穀部の上部後方側のメンテナンス作業を、作業者がフィーダハウスに上ることなく行いたい場合には、前側の固定部材の固定を解除し回動取付手段を支点に反転回動し前側の縦フレームを後側の切換固定手段の固定部材に合致させて固定すると、梯子は前側梯子作業姿勢から後方の脱穀部の外側に沿う後側梯子作業姿勢に簡単に設置することができるため、ここから作業者はここから梯子を利用して上ることにより、メンテナンス作業を安定姿勢を保ちながら行うことができる。従って、梯子の作業姿勢の切換えによって、必要とするメンテナンス箇所に応じたメンテナンス作業を能率よく行うことができる。
【図面の簡単な説明】
【０００７】
【図１】汎用コンバインの側面図である。
【図２】図１の平面図である。
【図３】梯子設置構造の前側梯子作業姿勢を示す斜視図である。
【図４】梯子設置構造の後側梯子作業姿勢を示す斜視図である。
【図５】梯子設置構造の回動取付手段及び切換固定手段の構成を示す分解斜視図である。
【発明を実施するための形態】
【０００８】
本発明の実施の形態を図面に基づいて説明する。図１,図２において符号Ａは本発明に係る梯子設置構造１を備える汎用型コンバインであり、このコンバインＡは、左右一対のクローラ式の走行装置２ａを備える機体フレーム２の右側前部位置に、キャビン３ａによって覆われる操縦部３と、エンジンが搭載される原動機部４と、穀粒排出オーガ装置５ａを備える穀粒貯留部５とを前後方向に配設している。また機体フレーム２の左側方位置には、後部にチョッパー型の排藁処理装置６を備えるスレッシャー型の脱穀部７を配設し、該脱穀部７の前方位置に刈取部９と搬送部１０等を作物の刈高さ調節を行うように昇降自在に設置している。
【０００９】
これによりコンバインＡはコンバイン作業時に、圃場に植立する作物を刈取部９で刈取り、刈取られた作物を搬送部１０を介し脱穀部７に搬送し、脱穀部７によって脱穀選別された穀粒（精粒）を穀粒貯留部５に供給して貯留する。また脱穀部７から排出される藁屑は排藁処理装置６によって粉砕された状態で後方に排出する。そして、このコンバインＡは、搬送部１０内又は脱穀部７の扱室内等の点検や修理並びに清掃等を必要とするとき、後述する梯子設置構造１による梯子２５を利用することにより、メンテナンス作業を能率よく行うことができるようにしている。
【００１０】
上記コンバインＡの各部の構成について説明する。刈取部９は、プラットホーム１１の前端部に左右一対の分草体１２を取付け、該分草体１２，１２間の後方位置に刈刃１３を設け、該刈刃１３の後方位置にプラットホームオーガ１４を設け、プラットホーム１１の後端上部に左右一対のリール支持アーム１５の基端を取付け、両リール支持アーム１５間に収穫機用リールとしての掻込リール１６を回転自在に軸支している。また植立穀稈の未刈地側になる左方の分草体１２の後方には、ナローガイド１２ａを公知の構成によって、機体側に沿って近接する格納姿勢と、機体外方に張り出して植立穀稈を押し倒しながら傾倒させて案内する作業姿勢とに切換え自在に設けている。
【００１１】
上記掻込リール１６は、左右のリール外枠１７，１７間に複数のタイン１８を有するタイン取付バー１９を円周方向に掻き込み間隔を有して横設しており、下向き矢印方向に回転駆動されることにより、植立穀稈をプラットホーム１１内に掻き込むことができる。またリール１６によって掻き込まれ刈刃１３で刈取られた作物（穀稈）は、プラットホームオーガ１４から搬送部１０に集合され脱穀部７に搬送供給されて、脱穀選別作業が行われる。
【００１２】
搬送部１０は、方形状断面をなして前後方向に延長されるフィーダハウス２０を、機体フレーム２の前端部に上下回動自在に取り付け、同フィーダハウス２０の内部に、穀稈を後方送りする搬送コンベア（図示せず）を内装している。また図３,図４に示すようにフィーダハウス２０には、その上壁部２１に複数のカバー蓋２１ａを開閉自在に取付けており、搬送コンベア等の点検や清掃及び修理等のメンテナンス作業を行うことができるようにしている。
【００１３】
脱穀部７は、搬送部１０の直後方位置に扱胴を前後方向に軸支回転する扱室（図示せず）を形成し、扱室により脱穀された穀粒を含む脱穀物を下方の揺動選別部へ落下する一方、排藁は後方の排藁処理装置６へ移送する。また脱穀部７は、扱室の上方を覆う上部カバー７ａと、左側壁７ｂ及びその外側に設置される伝動機構等を覆う側壁カバー７ｃを開閉自在に備えており、各所のメンテナンス作業を容易に行うことができるようにしている。そして、図示例のコンバインＡは、コンバイン本体機体幅の左側の機体外方位置を上記側壁カバー７ｃの位置にしている。また脱穀部７の脱穀フレームを構成する前側機壁７ｆの前部には、脱穀入力伝動機構（図示せず）等を覆う伝動部カバー２２を着脱自在に取付けている。
【００１４】
排藁処理装置６は、脱穀部７の後部に設置されて、内部に複数の破砕歯（図示せず）を突設して横軸回転する排藁処理体を内装する処理本体部６ａと、該処理本体部６ａの後部に取付けられる排藁処理装置カバー６ｂとからなる。これにより脱穀部７から排出される排藁を、処理本体部６ａの排藁処理体によって破砕処理し、処理排藁を排藁処理装置カバー６ｂを介して後方に向けて拡散させるように排出案内する。この排藁処理装置カバー６ｂは、その後端が脱穀部７の側壁カバー７ｃより機体左側外方に突出する機体後部突出端Ｒを形成している。即ち、図示例のコンバインＡは、コンバイン本体機体幅の左側の機体外方位置（幅）を上記側壁カバー７ｃの位置にしており、上記排藁処理装置カバー６ｂの機体後部突出端Ｒはコンバイン本体機体幅の左側の機体外方側から側方に突出している。
【００１５】
次に、このコンバインＡに設置される梯子設置構造１について図１〜図５を参照し詳述する。梯子設置構造１は、梯子２５を梯子間隔を有する前後の縦フレーム２５ａを、複数の横杆２５ｂによって上下方向に連結した長方形状の梯子枠体として構成している。この梯子２５は、脱穀部７の前側機壁７ｆとフィーダハウス２０の左側壁２０ｂとの間で形成されるコーナ状の空間部Ｓに対し、前後方向に対して傾斜状に配置されて平面視で３角形の対辺をなすように立設される前側梯子作業姿勢と、当該梯子２５が前記左側壁７ｂの側壁カバー７ｃに沿って略平行状をなすように立設される後側梯子作業姿勢とに切換え設置自在に構成されている。
【００１６】
即ち、図示例の梯子設置構造１は、梯子２５を空間部Ｓに対向させて平面視で斜め状に取付けるにあたり、後側（左側）の縦フレーム２５ａの上下を前記前側機壁７ｆの外側寄りの間で、ヒンジ構造をなす回動取付手段２６によって回動自在に取付けている。そして、梯子２５は後側の縦フレーム２５ａの下部側を、フィーダハウス２０側に近接させて設置される切換固定手段２７と、脱穀部７の左側壁７ｂ側に近接して設置される切換固定手段２７に対し、択一的に係脱自在に取付けることにより、前側梯子作業姿勢と後側梯子作業姿勢にある梯子２５を安定よく立設するように構成している。
【００１７】
この際に、梯子２５は後述する回動取付手段２６と切換固定手段２７とによって、縦フレーム２５ａ側が前記機体後部で左側に機体最大突出部をなして突出する前記排藁処理装置カバー６ｂの最外側から大きくはみ出すことなく略同じ位置になるように配設している。
【００１８】
次に、回動取付手段２６及び切換固定手段２７について図５を参照し説明する。先ず、回動取付手段２６は、前側機壁７ｆの左辺部にブラケット２９を介して固設される上下の縦筒３０と、梯子２５の後部となる縦フレーム２５ａにブラケット３１を介して下向きに突設される上下の縦軸３２とからなり、各対応する縦筒３０に縦軸３２を上方から挿入して抜け止めをする構成にしている。これにより梯子２５は、回動取付手段２６によって前側機壁７ｆと左側壁７ｂとが接合されて強度を有する脱穀部７の左前側のコーナ部に沿って、略鉛直姿勢で安定よく取付けられると共に、縦軸３２を支点に前側梯子作業姿勢と後側梯子作業姿勢とに回動自在に立設される。
【００１９】
一方、切換固定手段２７は、機体フレーム２ａ側又は脱穀部７側から、前側梯子作業姿勢側と後側梯子作業姿勢側の所定の固定位置に設けられる固定部材３３に対し、梯子２５の前側の縦フレーム２５ａを、任意構造の係合固定手段によって択一的に固定するように構成している。即ち、図示例の切換固定手段２７は、機体フレーム２ａから前記脱穀部７の左前側のコーナ部に沿って略水平状に敷設されて縦フレーム２５ａ,２５ａの下端に近接させた補助デッキ３５に対し、各固定部材３３を上向きに立設し、且つ当該各固定部材３３に穿設したピン孔３３ａに対し、左側の縦フレーム２５ａに穿設したピン孔３６を択一的に合致させた状態で、両孔に固定ピン３７を係脱自在に挿入する構成にしている。尚、上記補助デッキ３５は、足を掛けるデッキ台として利用できると共に、梯子２５の荷重を受ける支持台にすることができる。
【００２０】
この梯子２５は、回動取付手段２６と切換固定手段２７とによって、後側の縦フレーム２５ａを、脱穀部７の後部に設置されて機体外方に突出する排藁処理装置６の機体後部突出端Ｒと略同一線上に配置させるようにしている。即ち、縦フレーム２５ａは、前記機体後部の左側に突出して機体後部最大幅を形成する排藁処理装置カバー６ｂの機体後部突出端Ｒから大きくはみ出すことなく略同一線上に位置させ立設している。これによりコンバインＡは、ナローガイド１２ａを作業姿勢に突出させて行う前進刈取作業時に植立穀稈との接触を抑制すると共に、機体後進時においても植立穀稈との接触を抑制する。また機体走行中に脱穀部７に接近した位置に立っている補助作業者との接当も回避するようにしている。
【００２１】
以上のように構成される梯子設置構造１を備えるコンバインＡは、梯子２５を前側梯子作業姿勢に固定すると共に、ナローガイド１２ａを側方に張り出した作業姿勢に切換えた状態でコンバイン作業を行う。これによりコンバインＡは前進するとき、ナローガイド１２ａが植立穀稈を側方に押し傾けながら機体から穂先を遠ざけるため、穀稈を機体に接触させることなく作業をスムーズに行なう。また上記のようなコンバイン作業において稈長が長い穀稈の場合には、ナローガイド１２ａによる傾倒案内が解除されたのちに穂先側が梯子２５に接触することがあるが、当該梯子２５は前後方向に対して傾斜状に配置された状態で後側の縦フレーム２５ａを機体外方側に大きく突出させないで設けているため、縦フレーム２５ａは穀稈との強い接当を回避し後方に向けて逃がすので、穂先が梯子２５に引っ掛ってちぎられることはない。
【００２２】
また梯子２５は後側の縦フレーム２５ａを、脱穀部７の後部に設置されて機体外方に突出する排藁処理装置６の機体後部突出端Ｒと略同一線上に配置して前後進時に機体後部幅を認知する指標となるので、前後進走行をする際に、機体後部幅を操縦部３の側方から視認し易い縦フレーム２５ａの位置を確認しながら、視認し難い排藁処理装置６の機体後部突出端Ｒを機体後部最大幅として認知した操縦を容易に行うことができる。またコンバイン作業の中途における機体後進時に、機体後方にいる補助作業者は、確認し易い排藁処理装置６の排藁処理装置カバー６ｂの機体後部突出端Ｒを見て、これとの接触を避ける位置に移動すれば梯子２５との接触も回避することができる等、梯子２５の設置に支障されることなく、一連のコンバイン作業をスムーズに行うことができる。さらに、納屋等の狭小な場所でコンバインＡを格納するような場合に、作業者は右側の操縦部３から、左側の機体後部外方側の機体幅が目視困難であっても、機体外方側の中途に突出する梯子２５の後側縦フレーム２５ａを指標として、機体の適正格納作業を簡単且つ能率よく行うことができる。
【００２３】
そして、コンバインＡの搬送部１０内又は脱穀部７の扱室内或いは伝動部カバー２２内のメンテナンス作業を行なう場合には、梯子２５を各メンテナンス作業を必要する箇所に応じて前側梯子作業姿勢と後側梯子作業姿勢との状態固定を選択して行う。即ち、前側梯子作業姿勢に固定された状態の梯子２５は、作業者が横杆２５ｂに足を掛けて上ると、その中途で手を伸ばしフィーダハウス２０のカバー蓋２１ａを開け、また脱穀部７の上部カバー７ａをロック解除操作をして開けることができ、各内部のメンテナンス作業を簡単に行うことができる。また伝動部カバー２２の高い位置にあるボルト等の固定具も容易に外すことができる。
【００２４】
そして、作業者は前側縦フレーム２５ａをフィーダハウス２０に近接させている梯子２５から、必要によりフィーダハウス２０の上部に簡単に乗り移ることができるので、フィーダハウス２０に安定姿勢によって身を置いた状態で、内部の搬送コンベア等の点検や修理並びに清掃等を十分に行うことができる。さらに、作業者はフィーダハウス２０を利用して脱穀部７の上にも容易に移動することができるので、扱室内のメンテナンス作業を十分に行うことができる。この際に、梯子２５は前側の縦フレーム２５ａが前側切換固定手段２７の固定部材３３に固定支持されているので、作業者の昇降をスムーズに行うことを可能にする。
【００２５】
次いで、脱穀部７の上部後方側のメンテナンス作業を作業者が脱穀部７にフィーダハウス２０に上ることなく行う場合には、上記前側の固定部材３３の固定を解除し回動取付手段２６を支点に反転回動し、前側の縦フレーム２５ａを後側の切換固定手段２７の固定部材３３に合致させて固定する。これにより梯子２５は前側梯子作業姿勢から前側機壁７ｆより後方の脱穀部７の外側に沿う後側梯子作業姿勢に簡単に設置することができる。そして、作業者は後側梯子作業姿勢にある梯子２５を利用して上ることにより、ここから安定姿勢を保ちながら上半身及び手を伸ばしてメンテナンス作業を容易に行うことができる。
【００２６】
従って、作業者は脱穀部７の上部の必要とするメンテナンス作業の状況に応じ、梯子２５を前側梯子作業姿勢から後側梯子作業姿勢に択一的に切換えることができるので、敢えてフィーダハウス２０から上ることなく、後側梯子作業姿勢の梯子２５から直接的に脱穀部７に上るか、又は上ることなく梯子２５から手を伸ばしてメンテナンス作業を能率よく行うことができる。次いで、この部のメンテナンス作業を完了した時点で、梯子２５を元の前側梯子作業姿勢に切換え固定することによりコンバイン作業を続行する。
【符号の説明】
【００２７】
Ａ  汎用型コンバイン
１  梯子設置構造
２  機体フレーム
２ａ  走行装置
３  操縦部
６  排藁処理装置
７  脱穀部
７ｆ  前側機壁
９  刈取部
１０  搬送部
２０  フィーダハウス
２５  梯子
２５ａ  縦フレーム
２６  回動取付手段
２７  切換固定手段
Ｓ  空間部
Ｒ  機体後部突出端
【図１】
2013243941.tif 000003
【図２】
2013243941.tif 000004
【図３】
2013243941.tif 000005
【図４】
2013243941.tif 000006
【図５】
2013243941.tif 000007